(57)【要約】      （修正有）【課題】操作が容易で、使用が便利な衣類掛けハンガー及びその使用方法を提供する。【解決手段】衣類掛けハンガー及びその使用方法を提供し、前記衣類掛けハンガーは、掛けアーム１０と、掛けアームの両端に対応して固定されるロック構造とを有し、前記ロック構造は、掛けアームの両端に対応して固定された受け支え竿２０と、掛けアームの両端に回動的に設けられた支持バー３０とを備え、支持バーは、衣類を受け乗せるために用いられ、衣類の自己重量によって衣類がロックされるように受け支え竿に回動可能に貼り合わせている。【選択図】図４
2015136616.tif 000002
【特許請求の範囲】
【請求項１】
掛けアームと、掛けアームの両端に対応して固定されるロック構造とを有し、前記ロック構造は、掛けアームの両端に対応して固定される受け支え竿と、全体がＵ字状を成し、その両端が掛けアームの両端にそれぞれ回動的に枢着される支持バーとを備え、前記支持バーは、衣類を受け乗せるために用いられ、衣類の自己重量によって衣類がロックされるように受け支え竿に回動的に貼り合わせることを特徴とする衣類掛けハンガー。
【請求項２】
掛けアームの両端のそれぞれには１つの貫通孔が開設され、掛けアームの両端にそれぞれ位置している貫通孔は同軸に配置され、支持バーの両端は対応する１つの貫通孔にそれぞれ収容され、掛けアームの両端の端壁のそれぞれは、支持バーの両端に対する位置制限部となることを特徴とする請求項１に記載のハンガー。
【請求項３】
前記支持バーの中部には、中空の受け乗せ竿が套設されていることを特徴とする請求項２に記載のハンガー。
【請求項４】
前記掛けアームの両端には、接続シートがそれぞれ固定され、前記貫通孔は前記接続シートに形成されていることを特徴とする請求項２に記載のハンガー。
【請求項５】
前記接続シートは、受け支え竿と一体的成型されてなることを特徴とする請求項４に記載のハンガー。
【請求項６】
前記受け支え竿のトップ面には、受け乗せ竿に合わせた凹弧面が設けられていることを特徴とする請求項４に記載のハンガー。
【請求項７】
前記受け支え竿のトップ面には、受け乗せ竿を拾い上げるための凹溝がさらに設けられていることを特徴とする請求項６に記載のハンガー。
【請求項８】
前記衣類掛けハンガーは、掛けアームのトップ中間のスルーホールに穿設された吊りフックと、吊りフックの終端に套設されたワッシャとをさらに備え、前記吊りフックの終端には、ワッシャの脱落を防止するための位置制限部が延在して形成されていることを特徴とする請求項１に記載のハンガー。
【請求項９】
衣類掛けハンガーの吊りフックを吊り上げ、支持バーを自然に垂下した状態にし、衣類を支持バーと受け支え竿とが形成する密閉空間を通じさせ、支持バー上に載せる掛け入れステップと、
支持バーを回動して受け支え竿に貼り合わせ、衣類の自己重量によって自動的にロックさせるロックステップと含んでいることを特徴とする請求項１〜８のいずれか一項に記載の衣類掛けハンガーの使用方法。
【請求項１０】
支持バーを拾い上げて自然に垂下した状態まで回転させる回動ステップと、
支持バーから衣類を取り外す持ち取りステップとをさらに含むことを特徴とする請求項９に記載のハンガーの使用方法。
【発明の詳細な説明】
【技術分野】
【０００１】
本発明は、日用品の分野に関し、特に、衣類掛けハンガー及びその使用方法に関する。
【背景技術】
【０００２】
図１及び図２を参照すると、従来の衣類掛けハンガーは、衣類掛けハンガーの掛けアーム１００と、衣類掛けハンガーの掛けアーム１００の両端に固定された支持バー部材２００と、両端が支持バー部材２００に套設された受け乗せ素子３００とを備え、受け乗せ素子３００は衣類を掛けるものであり、上下活動する方式によって衣類をロックする。
【発明の概要】
【発明が解決しようとする課題】
【０００３】
しかし、前記衣類掛けハンガーは、衣類を干す時、まずにロックされた受け乗せ件３００を開いてからこそ、衣類を掛けて干すことができ、操作が煩雑である。また、前記衣類掛けハンガーのロックがしっかりでないと、衣類は干した後に脱落しやすい。
本発明の実施例が解決しようとする技術課題は、操作が容易で、使用が便利な衣類掛けハンガー及びその使用方法を提供することである。
【課題を解決するための手段】
【０００４】
上記の技術課題を解決するために、本発明の実施例は、掛けアームと、掛けアームの両端に対応して固定されるロック構造とを有し、前記ロック構造は、掛けアームの両端に対応して固定される受け支え竿と、全体がＵ字状を成し、その両端が掛けアームの両端にそれぞれ回動的に枢着される支持バーとを備え、前記支持バーは、衣類を受け乗せるために用いられ、衣類の自己重量によって衣類がロックされるように受け支え竿に回動的に貼り合わせる衣類掛けハンガーを提案している。
【０００５】
さらに、掛けアームの両端のそれぞれには１つの貫通孔が開設され、掛けアームの両端にそれぞれ位置している貫通孔は同軸に配置され、支持バーの両端は対応する１つの貫通孔にそれぞれ収容され、掛けアームの両端の端壁のそれぞれは、支持バーの両端に対する位置制限部となる。
さらに、前記支持バーの中部には、中空の受け乗せ竿が套設されている。
さらに、前記掛けアームの両端には、接続シートがそれぞれ固定され、前記貫通孔は前記接続シートに形成されている。
さらに、前記接続シートは、受け支え竿と一体的成型されてなる。
さらに、前記受け支え竿のトップ面には、受け乗せ竿に合わせた凹弧面が設けられている。
さらに、前記受け支え竿のトップ面には、受け乗せ竿を拾い上げるための凹溝がさらに設けられている。
【０００６】
さらに、前記衣類掛けハンガーは、掛けアームのトップ中間のスルーホールに穿設された吊りフックと、吊りフックの終端に套設されたワッシャとをさらに備え、前記吊りフックの終端には、ワッシャの脱落を防止するための位置制限部が延在して形成されている。
【０００７】
対応的に、本発明の実施例は、
衣類掛けハンガーの吊りフックを吊り上げ、支持バーを自然に垂下した状態にし、衣類を支持バーと受け支え竿とが形成する密閉空間を通じさせ、支持バー上に載せる掛け入れステップと、
支持バーを回動して受け支え竿に貼り合わせ、衣類の自己重量によって自動的にロックさせるロックステップと含んでいる衣類掛けハンガーの使用方法をさらに提供している。
【０００８】
さらに、前記使用方法は、
支持バーを拾い上げて自然に垂下した状態まで回転させる回動ステップと、
支持バーから衣類を取り外す持ち取りステップとを含んでいる。
【発明の効果】
【０００９】
本発明に係る実施例の衣類掛けハンガーは以下のような有益な効果がある。即ち、受け支え竿が掛けアームの両端に対応して固定され、支持バーが掛けアームの両端に回動的に設けられ、支持バーが衣類を受け乗せるために用いられ、衣類の自己重量によって衣類をロックさせるように回動可能に受け支え竿に貼り合わせる技術手段を用いることによって、操作が容易で、使用が便利であるとの技術効果を有すると共に、回動後に衣類が自身の重力によってロックされ、ロックがしっかりで、脱落しにくい。
【図面の簡単な説明】
【００１０】
【図１】従来の衣類掛けハンガーの使用状態の模式図である。
【図２】図１に示す衣類掛けハンガーのロック状態の模式図である。
【図３】本発明に係る実施例の衣類掛けハンガーの支持バーの自然に垂下した状態の模式図である。
【図４】本発明に係る実施例の衣類掛けハンガーのロック状態の模式図である。
【図５】本発明に係る実施例の図４におけるＡ位置の拡大模式図である。
【図６】本発明に係る実施例の衣類掛けハンガーの分解模式図である。
【図７】本発明に係る実施例の衣類掛けハンガーの使用方法の掛け入れステップの模式図である。
【図８】本発明に係る実施例の衣類掛けハンガーの使用方法の掛け入れステップの模式図である。
【図９】本発明に係る実施例の衣類掛けハンガーの使用方法のロックステップの模式図である。
【図１０】図９に示すロックステップ後の２つの異なる角度の衣類掛けハンガーの状態の模式図である。
【図１１】図９に示すロックステップ後の２つの異なる角度の衣類掛けハンガーの状態の模式図である。
【発明を実施するための最良の形態】
【００１１】
簡潔に説明すると、矛盾のない場合、本願における実施例及び実施例における特徴は互いに結合することができ、以下、図面と具体的実施例に基づいて本発明をより詳しく説明する。
【００１２】
図３〜図６を参照すると、本発明に係る実施例は衣類掛けハンガーを提供しており、前記衣類掛けハンガーの本体は掛けアーム１０であり、さらにロック構造及び吊り掛け構造を有している。
【００１３】
前記ロック構造は、掛けアーム１０の底部に対応して固定され、掛けアーム１０を跨って両端に接続され、前記ロック構造は、受け支え竿２０と支持バー３０とを備えている。
【００１４】
また、掛けアーム１０の両端には、接続シート２１がそれぞれ固定され、接続シート２１と掛けアーム１０との間の固定は、接着、溶接、リベッティング等の様々な固定方式を採用することができ、接続シート２１の主な作用は、受け支え竿２０と支持バー３０を掛けアーム１０に固定することである。さらに、２つの接続シート２１には互いに対応して同軸に配置された貫通孔２１０が開設されていることが好ましい。また、１つの実施の形態として、接続シート２１は掛けアーム１０の両端に一体的成型されてもよい。
【００１５】
また、前記受け支え竿２０は、個別な構成要素として、後期に組立てる際、接続シートに組立ててもよく、もちろん、部品加工と組立て工程が簡略されるように、受け支え竿２０と接続シート２１を一体的成型させてもよい。
【００１６】
前記支持バー３０は、受け支え竿２０の両端に回動的に設けられ、衣類を受け乗せ、衣類の自己重量により衣類がロックされるように受け支え竿２０に回動可能に貼り合わせたものである。また、支持バー３０の両端は、受け支え竿２０の寸法要求に応じて、所定の角度に曲げられてＵ字状をなしている。支持バー３０は金属竿で湾曲製作することができる。さらに、支持バー３０の両端は対応する貫通孔２１０にそれぞれ枢着され、３６０度に近く活動的回転が可能であり、且つ掛けアーム１０の両端の端壁のそれぞれは支持バー３０の両端に対する位置制限部となる。また、支持バー３０の両端は対応する貫通孔２１０にそれぞれ弾性的に枢着されると共に、上記位置制限部を介して、支持バー３０の脱落を効果的に防止することが好ましい。
【００１７】
また、１つの実施の形態として、支持バー３０の中部には、受け乗せ竿３２がさらに套設され、受け乗せ竿３２は、中空管を用いることにより、支持バー３０を容易にカバーさせるようにする。実際生産する場合、支持バー３０を湾曲する前に、受け乗せ竿３２を支持バーへカバーさせる。さらに１つの実施の形態として、前記受け乗せ竿３２の横断面は楕円形または円形をなしている。また、受け乗せ竿３２は比較的に太く、干す衣類の接触面を増やすことができると共に、前記受け支え竿２０のトップ面には、受け乗せ竿３２に合わせた凹弧面がさらに設けられて、自然な貼り合わせを形成し、これらの設計はいずれも衣類をよくしっかりしている。前記受け支え竿２０のトップの中部には、受け乗せ竿３２を拾い上げるための凹溝２２が設けられ、指が便利に挿し込んで支持バー３０を回動操作させ、衣類を取り出す／掛け入れるようにする。例えば、衣類が干し済んだ後に、ロック状態を解消して衣類が取られるように手で便利に開くことができる。
【００１８】
また、前記吊り掛け構造は、吊りフック４０とワッシャ５０と備える。
吊りフック４０は掛けアーム１０のトップ中間のスルーホールに穿設されている。１つの実施の形態として、前記吊りフック４０の終端には、ワッシャ５０の脱落を防止するための位置制限部４１が延在して形成されている。具体的に、位置制限部４１は吊りフック４０の終端でプレス成型され、吊りフック４０、ワッシャ５０、及び掛けアーム１０は一体に連結され、吊りフック４０は干す衣類の重量を受け乗せる役割を果たしている。
【００１９】
また、ワッシャ５０は吊りフック４０の終端に套設され、位置制限部４１に当接される。
本発明に係る実施例は、衣類掛けハンガーの使用方法も提供しており、図７〜図１１を参照すると、前記使用方法は、干しステップと持ち取りステップとを含んでいる。
干しステップは、
【００２０】
衣類掛けハンガーの吊りフック４０を吊り上げ、支持バー３０を自然に垂下した状態にし、衣類を支持バー３０と受け支え竿２０とが形成する密閉空間を通じさせ、支持バー３０上に載せる掛け入れステップと、
支持バー３０を回動して受け支え竿２０に貼り合わせ、衣類の自己重量によって自動的にロックさせるロックステップと含んでいる。
【００２１】
持ち取りステップは、
支持バー３０を拾い上げて自然に垂下した状態まで回転させる回動ステップと、
支持バー３０から衣類を取り外す持ち取りステップとを含んでいる。
【００２２】
本発明に係る実施例の衣類掛けハンガーの使用方法によれば、回動する方式によってロックを行い、衣類を持ち取って、操作が容易で、使用が便利であるとの技術効果を有し、ロックがしっかりで、脱落しにくい。
【００２３】
本発明に係る実施例の衣類掛けハンガー及びその使用方法によれば、操作面において、従来の衣類掛けハンガーの操作が煩雑で、衣類両端の放置が非平衡である時に摩擦力が小さくて滑り落としやすいとの欠陥に比べて、より便利で信頼性が高く、使用面における不便を避け、干す衣類が脱落しやすいとの問題もよく解決する。
【００２４】
以上、既に本発明の実施例について示し記述してもかかわらず、本発明の原理及び趣旨を逸脱しない範囲でこれらの実施例に対して様々な変更、改正、置換及び変形できることは当業者にとって自明なことであり、本発明の範囲は添付した特許請求の範囲およびその等価な範囲によって定義される。
【図１】
2015136616.tif 000003
【図２】
2015136616.tif 000004
【図３】
2015136616.tif 000005
【図４】
2015136616.tif 000006
【図５】
2015136616.tif 000007
【図６】
2015136616.tif 000008
【図７】
2015136616.tif 000009
【図８】
2015136616.tif 000010
【図９】
2015136616.tif 000011
【図１０】
2015136616.tif 000012
【図１１】
2015136616.tif 000013